(57)【特許請求の範囲】
【請求項１】
牛乳容器、紙コップ、紙皿等の紙容器を洗浄するとともに、平面状に開き、コーティングされている防水シートを剥ぎ取る防水シート剥ぎ取り工程と、この防水シート剥ぎ取り工程で防水シートが剥ぎ取られた紙あるいは紙や布の所定位置に押し葉を配置した後、剥ぎ取った防水シートの表面部分を裏面になるように位置させて覆い、アイロンあるいはラミネータ等で熱を加えて防水シートと防水シートが剥ぎ取られた紙あるいは紙や布とを一体化させる一体化工程と、この一体化工程の前後に前記防水シートが剥ぎ取られた紙あるいは紙や布と前記防水シートとをハガキや名刺、カード等として使用できる所定の形状に切断する切断工程とを含むことを特徴とする紙容器の再利用方法。
【発明の詳細な説明】
【０００１】
【発明の属する技術分野】
本発明は牛乳容器、紙コップ、紙皿等として使用された紙容器を再利用する紙容器の再利用方法に関する。
【０００２】
【従来の技術】
従来、牛乳容器を再利用する方法として、ハガキやカード等に使用することができる手すき和紙にすることが一般に行なわれている。
【０００３】
【発明が解決しようとする課題】
従来の再利用方法では手すき和紙にするため、その作業が大変で、手数がかかるという欠点があるとともに、短時間に気軽に始めることができないという欠点があった。
【０００４】
本発明は以上のような従来の欠点に鑑み、短時間に気軽に始めることができるとともに、紙容器として使用したものの再利用分野を拡大することができる紙容器の再利用方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は牛乳容器、紙コップ、紙皿等の紙容器を洗浄するとともに、平面状に開き、コーティングされている防水シートを剥ぎ取る防水シート剥ぎ取り工程と、この防水シート剥ぎ取り工程で防水シートが剥ぎ取られた紙あるいは紙や布の所定位置に押し葉を配置した後、剥ぎ取った防水シートの表面部分を裏面になるように位置させて覆い、アイロンあるいはラミネータ等で熱を加えて防水シートと防水シートが剥ぎ取られた紙あるいは紙や布とを一体化させる一体化工程と、この一体化工程の前後に前記防水シートが剥ぎ取られた紙あるいは紙や布と前記防水シートとをハガキや名刺、カード等として使用できる所定の形状に切断する切断工程とで紙容器の再利用方法を構成している。
【０００７】
【発明の実施の形態】
以下、図面に示す実施の形態により、本発明を詳細に説明する。
【０００８】
図１ないし図６に示す本発明の第１の実施の形態において、１は図２に示すように牛乳容器、紙コップ、紙皿等の紙容器２を洗浄するとともに、平面状に開き乾燥させてコーティングされている防水シート３を剥ぎ取る防水シート剥ぎ取り工程で、この防水シート剥ぎ取り工程１は使用済みの紙容器２を洗浄した後、平面状に開いて乾燥させたり、平面状に開いてから洗浄、乾燥させたものを使用する。
なお、使用する紙容器２に応じて、両面の防水シート３を剥ぎ取ったり、外側面にプリントされていない紙容器の場合には内側面の防水シート３のみを剥ぎ取る。この際、洗浄して濡れた状態の方が防水シート３の剥ぎ取りが容易な場合には、濡れた状態で防水シートを剥ぎ取る。
【０００９】
４は図３に示すように、好ましくは前記防水シート剥ぎ取り工程１で防水シートが剥ぎ取られた紙５の所定位置に押し葉６を配置した後、剥ぎ取った防水シート３の表面部分を裏面になるように位置させて覆い、アイロン７をかけて、熱を加え防水シート３と防水シートが剥ぎ取られた紙５とを一体化させる一体化工程で、この一体化工程４では防水シートが剥ぎ取られた紙５を後で切断する寸法部位を考慮して、押し葉６を配置するとともに、防水シート３と防水シートが剥ぎとられた紙５との溶着が確実にでき、かつ焦げたりしないように注意してアイロン７をかける。
なお、この一体化工程４では防水シートが剥ぎ取られた紙５以外に普通の紙あるいは布を用いてもよく、また、アイロン７をかける代わりにラミネータ等で熱を加えてもよい。
【００１０】
８は図４に示すように前記一体化工程４後に、前記防水シート３と防水シートが剥ぎとられた紙５とをハガキや名刺、カード等として使用できる所定の形状に切断する切断工程で、この切断工程８はハサミや紙裁断機等を用いて行なう。
【００１１】
９は図５に示すように、前記切断工程８で切断除去された使用済みの紙容器材１０から防水シート３を除去して和紙を作る原料にする和紙原料選別工程で、この和紙原料選別工程９で選別された和紙原料１１は従来から一般に行なわれている和紙を作る場合に使用する。
【００１２】
上記の方法により作られたハガキや名刺、カード等は図６に示すように、押し葉６が防水シート３によって覆われているとともに、防水シート３の紙が付着している裏面が表面に位置しているため、該部位に筆記具を用いて文字や絵等も自由に記載して使用することができる。
【００１３】
【発明の異なる実施の形態】
次に、図７ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図７ないし図９に示す本発明の第２の実施の形態において、前記本発明の第１の実施の形態と主に異なる点は、防水シート剥ぎ取り工程１後に防水シートが剥ぎ取られた紙５をハガキや名刺、カード等として使用する所定の形状に切断する紙切断工程１２を行なうとともに、この紙切断工程１２後に一体化工程４、防水シート３をハガキや名刺、カード等の輪郭形状と一致するように切断する防水シート切断工程１３を行なった点で、このようにしても前記本発明の第１の実施の形態と同様な作用効果が得られる。
なお、ハガキや名刺、カード等に切断された防水シートが剥ぎ取られた紙５と同じ大きさに切断された防水シート３を使用すれば、一体化工程４後の防水シート切断工程１３は不用である。
【００１５】
図１０ないし図１２に示す本発明の第３の実施の形態において、前記本発明の第１の実施の形態と主に異なる点は、使用済みの紙容器２のプリントされている部分の防水シート３を剥ぎ取る防水シート剥ぎ取り工程１Ａを行なった後、プリントされていない防水シート３面に押し葉６を配置して和紙１４で覆い、アイロン７をかけて和紙１４と防水シート３とを一体化させる一体化工程４Ａを行なった点で、このようにしても前記本発明の第１の実施の形態と同様な作用効果が得られる。
【００１６】
図１３ないし図１５に示す本発明の第４の実施の形態において、前記本発明の第３の実施の形態と主に異なる点は、プリントされていない使用済みの紙容器２Ａを用いて一体化工程４Ｂを行なった点で、このようにしても前記本発明の第３の実施の形態と同様な作用効果が得られるとともに、より簡単に再利用を図ることができる。
【００１７】
図１６ないし図１８に示す本発明の第５の実施の形態において、前記本発明の第３の実施の形態と主に異なる点は、防水シート剥ぎ取り工程１Ａ後に防水シートが剥ぎ取られた紙５をハガキや名刺、カード等として使用する所定の形状に切断する紙切断工程１２を行なった後、一体化工程４Ａ、和紙切断工程１５を行なった点で、このようにしても前記本発明の第３の実施の形態と同様な作用効果が得られる。
【００１８】
【発明の効果】
以上の説明から明らかなように、本発明にあっては次に列挙する効果が得られる。
【００１９】
（１）牛乳容器、紙コップ、紙皿等の紙容器を洗浄するとともに、平面状に開き、コーティングされている防水シートを剥ぎ取る防水シート剥ぎ取り工程と、この防水シート剥ぎ取り工程で防水シートが剥ぎ取られた紙あるいは紙や布の所定位置に押し葉を配置した後、剥ぎ取った防水シートの表面部分を裏面になるように位置させて覆い、アイロンあるいはラミネータ等で熱を加えて防水シートと防水シートが剥ぎ取られた紙あるいは紙や布とを一体化させる一体化工程と、この一体化工程の前後に前記防水シートが剥ぎ取られた紙あるいは紙や布と前記防水シートとをハガキや名刺、カード等として使用できる所定の形状に切断する切断工程とからなるので、防水シートで押し葉が覆われたハガキや名刺、カード等を作ることができる。
したがって、手作りのハガキや名刺、カード等を使用済みの紙容器から作れ、有効利用を図ることができる。
【００２０】
（２）前記（１）によって、防水シートを剥ぎ取ったり、アイロンあるいはラミネータ等で熱をかけて一体化したり、切断する作業だけであるので、誰でもが容易に気軽に行なうことができる。
したがって、紙容器を使用するファーストフード店での親子工作教室等でのイベントに利用することができる。
【００２１】
（３）前記（１）によって、使用済みの紙容器のハガキや名刺、カード等として使用できる部分を防水シート剥ぎ取り工程、一体化工程、切断工程を用いて使用するため、短時間に気軽に始めることができる。
したがって、第１段階の使用済みの紙容器の再利用を楽しく短時間に行なうことができるとともに、残りの材料は第２段階の再利用として、従来から一般に行なわれている手すき和紙を作る原料にすることができる。
【００２２】
（４）前記（１）によって、防水シートの紙が付着した裏面が表面に位置するので、筆記具を用いて文字や絵を容易に記載することができる。
【図面の簡単な説明】
【図１】本発明の第１の実施の形態の工程図。
【図２】本発明の第１の実施の形態の防水シート剥ぎ取り工程の説明図。
【図３】本発明の第１の実施の形態の一体化工程の説明図。
【図４】本発明の第１の実施の形態の切断工程の説明図。
【図５】本発明の第１の実施の形態の和紙原料選別工程の説明図。
【図６】本発明の第１の実施の形態の作られたカード等の説明図。
【図７】本発明の第２の実施の形態の工程図。
【図８】本発明の第２の実施の形態の紙切断工程の説明図。
【図９】本発明の第２の実施の形態の防水シート切断工程の説明図。
【図１０】本発明の第３の実施の形態の工程図。
【図１１】本発明の第３の実施の形態の防水シート剥ぎ取り工程の説明図。
【図１２】本発明の第３の実施の形態の一体化工程の説明図。
【図１３】本発明の第４の実施の形態の工程図。
【図１４】本発明の第４の実施の形態の一体化工程の説明図。
【図１５】本発明の第４の実施の形態の切断工程の説明図。
【図１６】本発明の第５の実施の形態の工程図。
【図１７】本発明の第５の実施の形態の紙切断工程の説明図。
【図１８】本発明の第５の実施の形態の和紙切断工程の説明図。
【符号の説明】
１、１Ａ：防水シート剥ぎ取り工程、
２、２Ａ：紙容器、         ３：防水シート、
４、４Ａ：一体化工程、    ５：防水シートが剥ぎ取られた紙、
６：押し葉、               ７：アイロン、
８：切断工程、            ９：和紙原料選別工程、
１０：使用済みの紙容器材、
１１：和紙原料、          １２：切断工程、
１３：防水シート切断工程、
１４：和紙、              １５：和紙切断工程。
【図１】
0004167323.tif 000002
【図２】
0004167323.tif 000003
【図３】
0004167323.tif 000004
【図４】
0004167323.tif 000005
【図５】
0004167323.tif 000006
【図６】
0004167323.tif 000007
【図７】
0004167323.tif 000008
【図８】
0004167323.tif 000009
【図９】
0004167323.tif 000010
【図１０】
0004167323.tif 000011
【図１１】
0004167323.tif 000012
【図１２】
0004167323.tif 000013
【図１３】
0004167323.tif 000014
【図１４】
0004167323.tif 000015
【図１５】
0004167323.tif 000016
【図１６】
0004167323.tif 000017
【図１７】
0004167323.tif 000018
【図１８】
0004167323.tif 000019